(57)【要約】      （修正有）【課題】食事のしやすい使い捨てマスクを提供する。【解決手段】マスク１は、不織布から形成されるマスク本体１０と、マスク本体の両側縁近傍に取り付けられる耳紐２と、マスク本体の上端縁近傍に埋設される形状保持ワイヤ３と、マスク本体に取り付けられる持ち紐４と、を備えている。持ち紐は、マスク本体の上端縁近傍に圧着されていることが好ましい。【選択図】図１
0003232902.tif 000002
【実用新案登録請求の範囲】
【請求項１】
不織布から形成されるマスク本体と、
前記マスク本体の両側縁近傍に取り付けられる耳紐と、
前記マスク本体の上端縁近傍に埋設される形状保持ワイヤと、
前記マスク本体に取り付けられる持ち紐と、
を備える、マスク。
【請求項２】
前記持ち紐は、前記マスク本体の上端縁近傍に圧着されている、請求項１に記載された、マスク。
【請求項３】
前記持ち紐は、前記マスク本体の左右の中央近傍に圧着されている、請求項１又は請求項２に記載された、マスク。
【請求項４】
前記持ち紐は、ループ状に形成されている、請求項１乃至請求項３のいずれか一項に記載された、マスク。
【考案の詳細な説明】
【技術分野】
【０００１】
本考案は、食事のしやすい使い捨てマスクに関するものである。
【背景技術】
【０００２】
コロナ禍において、会話などの際に装着者の口元を遮蔽するためのマスクを着用する機会が増加している。特に、最近では、会食中にもマスクをする「マスク会食」も推奨されている。しかし、マスク会食において、マスクの着脱を頻繁に繰り返す作業は煩雑となる。
【０００３】
そのため、例えば、特許文献１には、略四角形平面状のマスクであって、マスク本体の上辺に沿って、帯状の粘着部を有し、粘着部は、アクリル系材料によって作製され、マスク本体の下側２／３の範囲には、粘着部を有しないマスクが開示されている。
【０００４】
この特許文献１では、粘着部によってマスクの上部を顔面に粘着させることにより、耳かけ紐を両耳から外しても、着用状態を維持できるようにされている。したがって、マスクの下部を持ち上げるだけで口の前を開放することができ、簡便な動作で飲食を行うことができるようになっている。
【先行技術文献】
【特許文献】
【０００５】
【特許文献１】登録実用新案公報第３２３１３６９号公報
【考案の概要】
【考案が解決しようとする課題】
【０００６】
しかしながら、特許文献１のマスクは、帯状の粘着部を有しているため、不快に感じる場合がある。さらに、口元が完全に開放されないため、食事を取りにくくなる、という問題があった。
【０００７】
そこで、本考案は、快適で食事の取りやすいマスクを提供することを目的としている。
【課題を解決するための手段】
【０００８】
前記目的を達成するために、第１の考案のマスクは、不織布から形成されるマスク本体と、前記マスク本体の両側縁近傍に取り付けられる耳紐と、前記マスク本体の上端縁近傍に埋設される形状保持ワイヤと、前記マスク本体に取り付けられる持ち紐と、を備えている。
【０００９】
また、第２の考案のマスクは、前記持ち紐は、前記マスク本体の上端縁近傍に圧着されていることができる。
【００１０】
さらに、第３の考案のマスクは、前記持ち紐は、前記マスク本体の左右の中央近傍に圧着されていることができる。
【００１１】
そして、第４の考案のマスクは、前記持ち紐は、ループ状に形成されていることができる。
【００１２】
前述した目的を達成するために、第１の考案のマスクは、不織布から形成されるマスク本体と、マスク本体の両側縁近傍に取り付けられる耳紐と、マスク本体の上端縁近傍に埋設される形状保持ワイヤと、マスク本体に取り付けられる持ち紐と、を備えている。このような構成であれば、持ち紐を手で持ってマスクをずらすことで、口元を容易に開放することができる。さらに、マスク本体に手で触れないため、衛生的である。
【００１３】
また、第２の考案のマスクは、持ち紐は、マスク本体の上端縁近傍に圧着されていることができる。このような構成であれば、下に開くことで全体を開くことができ、かつ、形状保持ワイヤの位置を持ち下げるだけで、マスク全体を開放することができる。
【００１４】
さらに、第３の考案のマスクは、持ち紐は、マスク本体の左右の中央近傍に圧着されていることで、鼻の位置を持ち上げることで、左右均等に開くことができ、かつ、口元を中心として大きく開くようになる。
【００１５】
そして、第４の考案のマスクは、持ち紐は、ループ状に形成されていることで、摘まむ際に持ちやすくなるため、頻繁に繰り返す動作をスムーズに行うことができる。
【図面の簡単な説明】
【００１６】
【図１】実施例のマスクの正面図である。
【図２】実施例のマスクを装着中の正面図である。
【図３】実施例のマスクを装着中の閉じた状態の側面図である。
【図４】実施例のマスクを装着中の開いた状態の側面図である。
【考案を実施するための形態】
【００１７】
以下、本考案の実施の形態について図面を参照して説明する。ただし、以下の実施例に記載されている構成要素は例示であり、本考案の技術範囲をそれらのみに限定する趣旨のものではない。
【実施例】
【００１８】
（構成）
まず、図１を用いて本考案のマスク１の構成を説明する。本考案のマスク１は、不織布製の四角形の使い捨て型のマスク１である。すなわち、マスク１は、マスク本体１０と、耳紐２、２と、形状保持ワイヤ３と、マスク１を持ち上げるための持ち紐４と、から構成される。
【００１９】
マスク本体１０は、通気性を有する素材、例えば、不織布やガーゼなどの織物、編物など形成されている。マスク本体１０の形状としては、具体的には、プリーツを有する四角形状のものを採用することができる。
【００２０】
この他、マスク本体１０は、不織布シート等の積層構造とすることもできる。マスク本体１０を積層構造とする場合は、各層に用いられるシートの周縁を接合することができる。シートの接合方法は、とくに限定されるものではないが、例えば、超音波溶着、熱溶着、接着剤による接着、縫製等を用いることができる。
【００２１】
なお、マスク本体１０の大きさ寸法は、特に限定されるものではなく、装着者の顔の大きさや好みに応じて適宜に選択することができる。例えば、男性用のマスクであれば、幅が１６ｃｍ〜１７ｃｍ、高さが７ｃｍ〜１１ｃｍとなるように形成することができる。一方、女性用のマスクであれば、幅が１４ｃｍ〜１５ｃｍ、高さが７ｃｍ〜１１ｃｍとなるように形成することができる。
【００２２】
耳紐２は、ループ状に形成されるゴム紐である。耳紐２、２を左右の耳に掛けることによって、マスク１を口元を覆う位置に保持できるようになっている。左右の耳紐２、２は、第１端部２１はマスク本体１０の上端縁近傍に取り付けられ、第２端部２２はマスク本体１０の下端縁近傍に取り付けられる。なお、マスク本体１０に対する耳紐２の取付手法は、とくに限定されるものではないが、例えば、超音波溶着、熱溶着、接着剤による接着、縫製等を用いることができる。
【００２３】
形状保持ワイヤ３は、力を加えることで変形し、力を除去するとその変形状態を保持することができる部材である。例えば、形状保持ワイヤ３として、塑性変形可能なアルミニウム製や鉄製などの金属製のワイヤ（又は薄板）や、樹脂製のワイヤ（又は薄板）などを採用することができる。
【００２４】
そして、この形状保持ワイヤ３を山形に折り曲げることで、マスク本体１０の上縁部近傍が人間の顔（特に鼻）に沿った形状とすることができるため、マスク本体１０の上縁部近傍から吐息が上方に漏れ出ることを防止できる。
【００２５】
持ち紐４は、耳紐２と同様に、ループ状に形成される短いゴム紐である。この持ち紐４を指で摘まんで口元から持ち上げる（持ち下げる）ことによって、装着者の口元を開放できるようになっている。ここにおいて、持ち紐４は、「紐」として説明したが、指で摘まむことのできるものであれば本考案に含まれる。その意味で、持ち紐４を「持ち手／摘まみ／把持手段」等と称することも可能である。
【００２６】
そして、本実施例の持ち紐４は、マスク本体１０の上端縁（１０ａ）近傍に、ループが下向きになるように、取り付けられている。さらに言えば、持ち紐４は、上端縁（１０ａ）近傍において、左右の中央近傍に取り付けられている。なお、マスク本体１０に対する持ち紐４の取付手法は、とくに限定されるものではないが、例えば、超音波溶着、熱溶着、接着剤による接着、縫製等を用いることができる。
【００２７】
（作用）
次に、図２〜図４を用いて、本実施例のマスク１の作用について説明する。まず、図２、図３に示す通常状態（装着状態）においては、口元を覆う位置にマスク本体１０を保持して使用する。これによって、会話中の飛沫の飛散を抑制できる。
【００２８】
次に、会食中においては、図４に示すように、持ち紐４を指で摘まんで、下向きに引っ張り、顎の位置までマスク本体１０をずらして飲食する。この状態では、持ち紐４から手を離してもマスク本体１０の位置は保持される。これによって、開放された口元を通じて飲食をとることができる。この場合、一方の手で持ち紐４を持って開放し、空いている他方の手で飲みものや食べものを口元に運ぶことができる。すなわち、片手のみの動作でマスク１の開閉が可能である。このように、容易かつスムーズに繰り返し動作可能であるため、口元が開放される時間をきわめて短くすることができる。
【００２９】
飲食後（あるいは会食後）には、再び、持ち紐４を上向きに引っ張り、元の位置までマスク本体１０を戻して会話する。この状態では、持ち紐４を手から離してもマスク本体１０の位置は保持される（図２、図３参照）。これによって、会話中の飛沫の飛散を抑制できる。
【００３０】
上述したように、マスク１の上下動（口元の開放／閉塞）が、持ち紐４を摘まんで上向き／下向きに引っ張るだけで、容易に実現される。さらに、この際には持ち紐４を摘まむのであるから、マスク本体１０には触れないため、マスク本体１０を持ってずらす動作と比べると衛生的である。
【００３１】
以上、図面を参照して、本考案の実施例を詳述してきたが、具体的な構成は、この実施例に限らず、本考案の要旨を逸脱しない程度の設計的変更は、本考案に含まれる。
【００３２】
例えば、実施例では、持ち紐４は、耳紐２と同様に両端がマスク本体１０に圧着されているものとして説明したが、これに限定されるものではなく、あらかじめループ状に形成された紐を１カ所だけ圧着するように構成してもよい。
【００３３】
また、実施例では特に説明しなかったが、マスク本体１０や持ち紐４の色は、特に限定されるものではない。さらに言えば、マスク本体１０と持ち紐４の色は同一色であってもよいし、異なる色であってもよい。
【００３４】
さらに、実施例では、マスク１を主として不織布製であるとして説明したが、これに限定されるものではなく、例えばポリウレタン製などの、他の素材のマスクにも、本考案を適用して持ち紐４を装着できる。
【符号の説明】
【００３５】
１    ：マスク
１０  ：マスク本体
２    ：耳紐
２１  ：第１端部
２２  ：第２端部
３    ：形状保持ワイヤ
４    ：持ち紐
【図１】
0003232902.tif 000003
【図２】
0003232902.tif 000004
【図３】
0003232902.tif 000005
【図４】
0003232902.tif 000006